(57)【要約】【課題】タイトフレームから外れ難いジョイナーを提供する。【解決手段】構造物を載置するための載置部（３１）と、載置部（３１）の載置面から伸びており、タイトフレームに設けられたハネ部に引っ掛けることができる掛止部（３２）と、を備えており、掛止部（３２）は、鉤形状を有しているとともに、先端部（３７）が鉤形状の内側に向けて屈曲している。【選択図】図５
2017014743.tif 000002
【特許請求の範囲】
【請求項１】
折板屋根材を支持する複数のタイトフレームを連結するように上記タイトフレームに掛止可能なジョイナーであって、
構造物を載置するための載置部と、
上記載置部の載置面から伸びており、上記タイトフレームに設けられた突起部に引っ掛けることができる掛止部と、を備えており、
上記掛止部は、鉤形状を有しているとともに、先端部が鉤形状の内側に向けて屈曲していることを特徴とするジョイナー。
【請求項２】
上記掛止部は、上記載置面に略垂直な方向に伸びる掛止本体部と、上記掛止本体部が伸びる方向とは略反対方向に伸びる折り返し部と、上記先端部とがこの順に連接して設けられた構造を有しており、
上記先端部が上記掛止本体部に接触することにより、上記掛止部は閉じた鉤形状を有していることを特徴とする請求項１に記載のジョイナー。
【請求項３】
可撓性を有する１枚の鋼板を曲げ加工することによって形成されていることを特徴とする請求項２に記載のジョイナー。
【請求項４】
長手方向に沿って、上記掛止本体部および上記折り返し部のうちの少なくとも何れか一方は屈曲していることを特徴とする請求項２または３に記載のジョイナー。
【請求項５】
１枚の鋼板を曲げ加工することによって上記載置部および上記掛止部が形成されており、
上記掛止部を挟んで異なる上記構造物を載置するための２つの上記載置部を有しており、
上記鋼板の一端は上記先端部に対応しており、上記鋼板の他端は一方の上記載置部に対応しており、
一方の上記載置部の端部の少なくとも一部は、上記鋼板の他端を折り返すことにより二重構造となっていることを特徴とする請求項１〜４の何れか１項に記載のジョイナー。
【請求項６】
請求項１〜５の何れか１項に記載のジョイナーと、
梁の上に固定された上記タイトフレームと、
上記タイトフレームに支持される折板屋根材と、を備えており、
上記ジョイナーは、複数の上記タイトフレームを連結するように取り付けられており、
上記載置面には断熱材が載置されており、
上記断熱材は、その一部が上記載置部と上記先端部との間に位置するように載置されていることを特徴とする折板屋根。
【発明の詳細な説明】
【技術分野】
【０００１】
本発明は、ジョイナー及び折板屋根に関する。
【背景技術】
【０００２】
従来、化学工場、食品工場、保冷工場、倉庫、紡績工場、製紙工場、および体育館等の折板屋根として、折板屋根材の下方に断熱材を敷設した断熱構造の折板屋根が知られている。
【０００３】
断熱構造の折板屋根の工法では、ジョイナーを引っ掛けるための突起部を有するタイトフレームを梁の上に固定した後、ジョイナーの両端部を上記突起部に引っ掛けて取り付け、２つのタイトフレームをジョイナーで連結した状態にする。その後、ジョイナーの上に断熱板を敷設する。このような断熱構造の折板屋根は、例えば特許文献１に記載されている。
【０００４】
図７は、特許文献１の折板屋根に用いられる従来のジョイナーおよび断熱材を示す断面図である。
【０００５】
図７に示すように、従来のジョイナー１３０は１枚の鋼板からなる逆Ｔ字型であり、両端付近が断熱材１４０を載置する載置部１３１となっており、中央部分がタイトフレームに設けられた突起部に引っ掛けるための掛止部となっている。
【０００６】
断熱材１４０の両端部を、隣接する２つのジョイナー１３０の載置部１３１に載置することによって、隣接する２つのジョイナー１３０で１つの断熱材１４０を支持することができる。
【０００７】
このようにして、折板屋根材の下方において、ジョイナー１３０の上に断熱材１４０を一様に敷設することによって、断熱構造の折板屋根とすることができる。
【先行技術文献】
【特許文献】
【０００８】
【特許文献１】特開２０１４−４０７２０号公報（２０１４年３月６日公開）
【発明の概要】
【発明が解決しようとする課題】
【０００９】
しかしながら、特許文献１のジョイナー１３０の掛止部は逆Ｖ字形状となっているため、風が吹くなどして折板屋根の下方からジョイナー１３０を押し上げる力が加わった場合、ジョイナー１３０が浮いてしまうことがあり、さらには、ジョイナー１３０がタイトフレームから外れてしまうことがある。
【００１０】
そこで、本発明は、上記の課題に鑑みなされたものであって、その目的は、タイトフレームから外れ難いジョイナー、及び上記ジョイナーを備えた折板屋根を提供することにある。
【課題を解決するための手段】
【００１１】
上記の課題を解決するために、本発明のジョイナーは、折板屋根材を支持する複数のタイトフレームを連結するように上記タイトフレームに掛止可能なジョイナーであって、構造物を載置するための載置部と、上記載置部の載置面から伸びており、上記タイトフレームに設けられた突起部に引っ掛けることができる掛止部と、を備えており、上記掛止部は、鉤形状を有しているとともに、先端部が鉤形状の内側に向けて屈曲していることを特徴とする。
【００１２】
上記の構成によれば、掛止部の先端部が鉤形状の内側に向けて曲がっているため、逆Ｖ字形状の掛止部を備える従来のジョイナーや、掛止部の先端部が鉤形状の内側に向けて曲がっていない従来のジョイナーに比べて、鉤形状の開口が小さい。
【００１３】
そのため、風が吹くなどして下方から力が加わってジョイナーが浮いた場合であっても、掛止部の先端部がタイトフレームの突起部に引っ掛かるため、ジョイナーがタイトフレームから外れ難い。
【００１４】
本発明の態様２に係るジョイナーは、上記態様１において、上記掛止部は、上記載置面に略垂直な方向に伸びる掛止本体部と、上記掛止本体部が伸びる方向とは略反対方向に伸びる折り返し部と、上記先端部とがこの順に連接して設けられた構造を有しており、上記先端部が上記掛止本体部に接触することにより、上記掛止部は閉じた鉤形状を有している構成であってもよい。
【００１５】
上記の構成によれば、タイトフレームの突起部からより外れ難くすることができる。
【００１６】
本発明の態様３に係るジョイナーは、上記態様２において、可撓性を有する１枚の鋼板を曲げ加工することによって形成されている構成であってもよい。
【００１７】
上記の構成によれば、ジョイナーの製造コストを低減することができる。また、閉じた鉤形状を有している場合であっても、可撓性を有する鋼板から形成されているため、ジョイナーをタイトフレームに掛止する工程において、掛止部を弾性変形させて鉤形状を開口させることによって、容易に掛止部をタイトフレームの突起部に引っ掛けることができる。
【００１８】
本発明の態様４に係るジョイナーは、上記態様２または３において、長手方向に沿って、上記掛止本体部および上記折り返し部のうちの少なくとも何れか一方は屈曲している構成であってもよい。
【００１９】
上記の構成によれば、ジョイナーの掛止部の強度を向上させることができる。
【００２０】
本発明の態様５に係るジョイナーは、上記態様１〜４の何れかにおいて、１枚の鋼板を曲げ加工することによって上記載置部および上記掛止部が形成されており、上記掛止部を挟んで異なる上記構造物を載置するための２つの上記載置部を有しており、上記鋼板の一端は上記先端部に対応しており、上記鋼板の他端は一方の上記載置部に対応しており、一方の上記載置部の端部の少なくとも一部は、上記鋼板の他端を折り返すことにより二重構造となっている構成であってもよい。
【００２１】
上記の構成によれば、上記鋼板の他端は折り返されているため、上記鋼板の他端は上記一方の載置部の端部にむき出しになっていない。そのため、ジョイナーを扱う作業者にとっての安全性を向上させることができる。
【００２２】
また、上記鋼板の他端を折り返すことにより、一方の載置部と他方の載置部とで重みのバランスを取ることができ、タイトフレームに取り付けた際の安定性を向上させることができる。
【００２３】
本発明の態様５に係る折板屋根は、上記態様１〜５の何れかのジョイナーと、梁の上に固定された上記タイトフレームと、上記タイトフレームに支持される折板屋根材と、を備えており、上記ジョイナーは、複数の上記タイトフレームを連結するように取り付けられており、上記載置面には断熱材が載置されており、上記断熱材は、その一部が上記載置部と上記先端部との間に位置するように載置されている構成であってもよい。
【００２４】
上記の構成によれば、掛止部の先端部分が鉤形状の内側に向けて曲がっているため、先端部分が鉤形状の内側に向けて曲がっていない従来のジョイナーに比べて、鉤形状の開口が小さい。
【００２５】
そのため、風が吹くなどして下方から力が加わった場合であっても、タイトフレームの突起部から外れ難い。
【００２６】
また、断熱材の一部が載置部と掛止部の先端部分との間に位置しているため、風が吹くなどして下方から力が加わった場合であっても、断熱材の浮き上がりを抑制することができる。
【発明の効果】
【００２７】
本発明によれば、タイトフレームから外れ難いジョイナー、及びジョイナーを備えた折板屋根を提供することができる。
【図面の簡単な説明】
【００２８】
【図１】本発明の実施形態１に係る折板屋根の断面図である。
【図２】１枚の折板屋根材を示す斜視図である。
【図３】本発明の実施形態１に係る折板屋根のタイトフレームの構成を示す概略図であり、（ａ）は正面図であり、（ｂ）は側面図である。
【図４】タイトフレームにジョイナーを取り付けた状態を示す折板屋根の一部の斜視図である。
【図５】本実施形態の実施形態１に係る折板屋根のジョイナーの構成を示す断面図である。
【図６】本実施形態の実施形態１に係る折板屋根のジョイナーの断面図である。
【図７】特許文献１の折板屋根に用いられる従来のジョイナーおよび断熱材を示す断面図である。
【発明を実施するための形態】
【００２９】
〔実施形態１〕
以下、本発明の実施の形態について、図１〜６に基づいて詳細に説明する。
【００３０】
図１は、本実施形態の折板屋根１００の断面図である。図１に示すように、折板屋根１００は、折板屋根材１０と、タイトフレーム２０と、タイトフレーム２０の突起部（ハネ部）に引っ掛けて取り付けられたジョイナー３０と、ジョイナー３０の上に載置された断熱材４０とを備えている。断熱材４０は、少なくとも両端部をジョイナー３０によって支持されており、折板屋根材１０の下方に一様に敷設されている。
【００３１】
タイトフレーム２０は鉄骨下地５０（梁）の上に固定されている。タイトフレーム２０は、鉄骨下地５０の上に溶接されていてもよいし、ボルト締めされていてもよい。タイトフレーム２０には、吊子２１が固定されている。折板屋根１００は、複数枚の折板屋根材１０を備えており、隣り合う折板屋根材１０同士は吊子２１を介してハゼ締めされている。
【００３２】
本実施形態の折板屋根１００は、折板屋根材１０の下方に一様に敷設された断熱材４０を備えているため、天井を介した室内外の熱移動を抑制することができる。そのため、室内の空調設備に必要な電力を低減することができる。
【００３３】
＜折板屋根材＞
図２は、１枚の折板屋根材を示す斜視図である。
【００３４】
図２に示すように、１枚の折板屋根材１０は、山部１２の左半分と、山部１２の右半分と、その間に形成された１個の谷部１３とからなっている。そして、山部１２・１２の上縁部には、はぜ締め部１２ａ・１２ｂがそれぞれ形成されており、２組の折板屋根材１０・１０を隣接させて、はぜ締め部１２ａ・１２ｂにてはぜ締めすることにより、折板屋根材１０・１０を互いに連結するようになっている。尚、折板屋根材１０は、必ずしもこれに限らず、他の働き巾及び長さであってよく、形状は、１枚の折板屋根材１０に対して複数の山部１２を有する形状、山部１２・１２間に複数の凹凸等が存在する形状等であってもよい。
【００３５】
折板屋根材１０は、例えば鋼板等の金属製にてなっており、厚さ例えば０．６〜１．２ｍｍであり、働き巾が例えば５００ｍｍとなっている。屋根の流れ方向の長さは屋根の大きさによって設定可能であり、数ｍ〜数１００ｍにも設定可能である。
【００３６】
＜タイトフレームの構造＞
図３は、タイトフレーム２０の構成を示す概略図であり、（ａ）は正面図であり、（ｂ）は側面図である。
【００３７】
図４は、タイトフレームにジョイナーを取り付けた状態を示す折板屋根の一部の斜視図である。
【００３８】
図４に示すように、タイトフレーム２０は、鉄骨下地５０の上に等間隔で配置される。
【００３９】
図３の（ａ）に示すように、タイトフレーム２０は、鉄骨下地５０に固定される基底部２２と、基底部２２から鉛直方向（基底部２２の底面に垂直な方向）に伸びる主軸部２３と、折板屋根材１０の山部の頂部に接する支持部２５とを備えている。
【００４０】
タイトフレーム２０は、主に２本の鉄鋼部材からなり、２本の鉄鋼部材がその両端部において折れ曲がっていることにより、基底部２２および支持部２５を構成している。
【００４１】
また、図３の（ｂ）に示すように、タイトフレーム２０は、主軸部２３から両側の側方（鉄骨下地５０の長手方向に直交する方向）に突出したハネ部２７（突起部）を備えている。ハネ部２７は、平板形状を有しており、後述するジョイナー３０の掛止部３２を引っ掛けることができる。
【００４２】
＜ジョイナー＞
図４に示すように、ジョイナー３０は、隣り合う２つの鉄骨下地５０の間隔に対応する長さを有しており、１つのジョイナー３０は、隣り合う鉄骨下地５０の上に固定された２つのタイトフレーム２０を連結するように、タイトフレーム２０に掛止可能な部材である。
【００４３】
図５は、ジョイナーの構成を示す断面図である。
【００４４】
図６は、本実施形態の折板屋根におけるジョイナーの断面図である。なお、図６では、説明のため、タイトフレームを破線で図示している。
【００４５】
図５に示すように、ジョイナー３０は、可撓性を有する１枚の鋼板を曲げ加工することによって形成されており、ジョイナー３０の断面形状は、概略的には逆Ｔ字型である。ジョイナー３０を構成する鋼板の厚みは、例えば０．３５〜０．５ｍｍとすることができる。
【００４６】
ジョイナー３０は、断熱材４０等が載置される面（載置面）を構成する載置部３１と、載置面から伸びる掛止部３２とを備えている。掛止部３２は、載置部３１の真ん中付近から伸びている。
【００４７】
（載置部）
載置部３１は、掛止部３２が伸びる部分を境にして、第１載置部３１Ａと第２載置部３１Ｂとに分けられる。
【００４８】
図６に示すように、第１載置部３１Ａと第２載置部３１Ｂとには、それぞれ別の断熱材４０が載置される。
【００４９】
また、図１に示すように、断熱材４０の一方の端部が１つのジョイナー３０の第２載置部に載置され、当該断熱材４０の他方の端部が他のジョイナー３０の第１載置部に載置される。このように、断熱材４０は２つのジョイナー３０によって支持されている。
【００５０】
なお、載置部３１に載置される構造物は、断熱材４０に限られず、他の構造物を載置してもよい。
【００５１】
（掛止部）
掛止部３２は、タイトフレーム２０のハネ部２７に引っ掛けることができるように鉤形状を有しており、掛止部３２がハネ部２７に掛止されることによって、ジョイナー３０はタイトフレーム２０に取り付けられる。
【００５２】
図５に示すように、掛止部３２は、載置部３１の載置面に略垂直な方向に伸びる掛止本体部３３と、屈曲部３４を境にして掛止本体部３３とは略反対方向に伸びる折り返し部３５と、屈曲部３６を境にして鉤形状の内側に向けて曲がる先端部３７と、がこの順に連接して設けられた構造を有している。
【００５３】
このように掛止部３２は、掛止本体部３３、折り返し部３５、および先端部３７によって、鉤形状を構成している。
【００５４】
図６に示すように、掛止部３２をタイトフレーム２０のハネ部２７に引っ掛けてジョイナー３０をタイトフレーム２０に取り付けたとき、ハネ部２７は、掛止本体部３３と折り返し部３５と先端部３７とによって囲まれる空間の内部に位置する。
【００５５】
図７に示すような従来のジョイナーや、先端部３７を有していない従来のジョイナーでは、下方から風などによる圧力を受けたとき、ジョイナー３０が浮き上がり、タイトフレーム２０のハネ部２７から外れるおそれがある。
【００５６】
これに対して、本実施形態のジョイナー３０は、鉤形状の掛止部３２を有しており、掛止部３２は、鉤形状の内側に向けて曲がっている先端部３７を有している。そのため、このような先端部３７を有していない従来のジョイナーに比べて、鉤形状の開口が小さい。また、ジョイナー３０が浮き上がった場合であっても、先端部３７がハネ部２７に引っ掛かる。これにより、風が吹くなどして下方から力が加わった場合であっても、タイトフレーム２０のハネ部２７から外れ難い。
【００５７】
なお、先端部３７が掛止本体部３３に接触しており、掛止本体部３３、折り返し部３５、および先端部３７によって、閉じた鉤形状を構成していることが好ましい。
【００５８】
これにより、ジョイナー３０の掛止部３２を、タイトフレームのハネ部２７からより一層外れ難くすることができる。
【００５９】
このように先端部３７が掛止本体部３３に接触している場合であっても、ジョイナー３０を構成する鋼板は可撓性を有するため、ジョイナー３０をタイトフレーム２０に取り付ける際には、掛止部３２を弾性変形させて鉤形状を開口させ、掛止部３２をハネ部２７に引っ掛けることができる。
【００６０】
（その他の特徴１）
図５に示すように、本実施形態のジョイナー３０では、掛止本体部３３および折り返し部３５は、ジョイナー３０の長手方向に平行な折り目に沿って屈曲されていることが好ましい。
【００６１】
ジョイナー３０の製造コストを低減するためには、ジョイナー３０を構成する鋼板の厚みは薄いことが好ましい。しかしながら、鋼板の厚みを薄くすると、ジョイナー３０の強度が低下してしまう。
【００６２】
これに対して、本実施形態のジョイナー３０は、掛止本体部３３および折り返し部３５が、ジョイナー３０の長手方向に平行な折り目に沿って屈曲されている。これにより、ジョイナー３０の厚みを薄くした場合であっても、十分な強度を持たせることができる。
【００６３】
また、図６に示すように、ハネ部２７は鉛直方向に幅を持つ平板形状を有しているのに対して、掛止本体部３３は屈曲されて鉛直方向に対して傾斜している。これにより、ハネ部２７は、掛止本体部３３と先端部３７との間から抜け難くなる。
【００６４】
なお、本実施形態では、本発明のジョイナーとして、掛止本体部３３および折り返し部３５が屈曲されたジョイナー３０を例に挙げて説明したが、本発明のジョイナーの構成はこれに限られない。すなわち、掛止本体部３３および折り返し部３５が屈曲されていなくてもよく、本発明のジョイナーは、少なくとも、鉤形状の内側に向けて曲がる先端部３７を備えていればよい。
【００６５】
（その他の特徴２）
また、図５に示すように、本実施形態のジョイナー３０は１枚の鋼板からなり、鋼板の一端は掛止部３２の先端部３７に対応し、鋼板の他端は第２載置部３１Ｂの端部に対応している。
【００６６】
ここで、第１載置部３１Ａは鋼板の二重構造となっており、また、第２載置部３１Ｂの端部で鋼板を折り返すことにより、第２載置部３１Ｂの一部も二重構造となっている。
【００６７】
このように、第２載置部３１Ｂに対応する部分で鋼板を屈曲させ、鋼板を二重構造とすることによって、ジョイナー３０の重心の位置を調整することができ、重みのバランスを向上させることができる。これにより、ジョイナー３０をタイトフレーム２０に取り付けた状態において、ジョイナー３０の安定性を向上させることができる。
【００６８】
また、第２載置部３１Ｂの端部で鋼板を折り返すことにより、第２載置部３１Ｂの外側の端部には鋼板の端部がむき出しになっておらず、第２載置部３１Ｂの外側の端部には鋼板の屈曲部が位置している。
【００６９】
このように、第２載置部３１Ｂの外側の端部において、鋼板の端部がむき出しになっておらず、鋼板の屈曲部が位置していることで、ジョイナー３０を扱う作業者の作業の安全性を向上させることができる。
【００７０】
なお、本実施形態では、本発明のジョイナーとして、第２載置部３１Ｂの端部の一部が二重構造となっているジョイナー３０を例に挙げて説明したが、本発明のジョイナーの構成はこれに限られない。すなわち、第２載置部３１Ｂは鋼板の二重構造となっていなくてもよく、本発明のジョイナーは、少なくとも、鉤形状の内側に向けて曲がる先端部３７を備えていればよい。
【００７１】
（その他の特徴３）
図６に示すように、断熱材４０は、その端部がジョイナー３０の第１載置部３１Ａと掛止部３２との間に位置するように載置されることが好ましい。第１載置部３１Ａと、掛止部３２の先端部３７とによって断熱材４０を挟むことによって、下方からの風によって圧力を受けた場合であっても、断熱材４０の浮きを防止することができる。
【００７２】
なお、掛止部３２の先端部３７の横幅は広いことが好ましい。先端部３７の横幅が広ければ広い程、広範囲に亘って断熱材４０を上下から挟むことができるため、断熱材４０の浮きをより確実に防止することができる。
【００７３】
なお、本実施形態では、本発明の折板屋根の好ましい一例として、断熱材４０の一部が第１載置部３１Ａと掛止部３２との間に位置するように載置されている折板屋根１００を挙げて説明したが、本発明の折板屋根の構成はこれに限られない。すなわち、断熱材４０の一部は第１載置部３１Ａと掛止部３２との間に位置するように載置されていなくてもよく、本発明の折板屋根は、少なくとも、鉤形状の内側に向けて曲がる先端部３７を有するジョイナー３０を備えていればよい。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明は、折板屋根の工法として利用することができる。
【符号の説明】
【００７６】
１０    折板屋根材
２０    タイトフレーム
２７    ハネ部（突起部）
３０    ジョイナー
３１    載置部
３１Ａ  第１載置部（他方の載置部）
３１Ｂ  第２載置部（一方の載置部）
３２    掛止部
３３    掛止本体部
３７    先端部
４０    断熱材（構造物）
５０    鉄骨下地（梁）
１００  折板屋根
【図１】
2017014743.tif 000003
【図２】
2017014743.tif 000004
【図３】
2017014743.tif 000005
【図４】
2017014743.tif 000006
【図５】
2017014743.tif 000007
【図６】
2017014743.tif 000008
【図７】
2017014743.tif 000009